(57)【特許請求の範囲】
【請求項１】
筐体から露出して設けられ、基材上に塗布された塗膜を被転写体に転写する転写部と、前記転写部の基材搬送経路の幅方向両端に各々設けたガイド壁と、これらガイド壁又は前記筐体の転写部側先端に設けた転写とは異なる機能を奏する機能部材と、を備え、前記ガイド壁の一方側又は前記筐体の一部に前記機能部材を設け、前記ガイド壁の他方側又は前記筐体の一部に該機能部材を被転写体に接触させる際に、該転写部が被転写体に接触することを防止する接触防止部材を設けたことを特徴とする多機能転写具。
【請求項２】
機能部材を、ガイド壁又は筐体の、基材搬送経路における該基材の巻き取り側の一部に設けることを特徴とする請求項１記載の多機能転写具。
【請求項３】
機能部材が被転写体に対して進退移動するよう構成したことを特徴とする請求項１又は２に記載の多機能転写具。
【請求項４】
機能部材及び転写部を覆うキャップを設けたことを特徴とする請求項１〜３のいずれかに記載の多機能転写具。
【請求項５】
筐体が内ケースと外ケースとからなり、前記内ケースと前記外ケースとが相対回転する構成としたことを特徴とする請求項１〜４のいずれかに記載の多機能転写具。
【発明の詳細な説明】
【技術分野】
【０００１】
本発明は、使用上安全で、かつ筐体が汚れることがないと共に、転写及び転写以外の機能も使い勝手がよい多機能転写具に関する。
【背景技術】
【０００２】
基材に塗布された塗膜を紙などの被転写体に転写する転写具において、用途に応じて塗膜には種類が存在する。粘着タイプの塗膜は、被転写体に貼着体を貼り合わせるために、両面に粘着性を有している。修正タイプの塗膜は、転写された被転写体上の文字等を覆って修正するために、不透過性で白色等の着色が施されている。マーカータイプの塗膜は、被転写体上の文字等を際立たせるために、透過性の着色が施されている。
【０００３】
上記した用途の多様化は、あくまで転写具という範疇におけるものであるが、近年の市場では、その用途の文具でありながら、例えば転写具でありながら転写以外の機能も備えるといった多機能化が望まれている。
【０００４】
こうした多機能の文具については、次の特許文献１〜４が存在する。
【特許文献１】実開平２−４０３７０号公報
【特許文献２】特開２００６−１１６７４９号公報
【特許文献３】特開２００５−１１９１４５号公報
【特許文献４】特開２００４−３０６４２１号公報
【０００５】
特許文献１は、カッターと糊塗布具との機能を併せ持ち、軸状の一端にカッター刃を、他端に液状糊の塗布部材を、各々設けた構成とされている。特許文献２は、保持体の両端にそれぞれ異種又は同種の用途に使用される媒体、例えば転写具とカッターなどの組み合わせで一体的に保持させる構成とされている。特許文献３，４は、転写具の筐体の一部に、塗膜を除去する部材が設けられた構成とされている。
【発明の開示】
【発明が解決しようとする課題】
【０００６】
しかしながら、特許文献１〜４では以下の問題があった。
特許文献１，２の構成では、液状糊や転写具を使っているとき、キャップがあるもののカッターが使用者側に向いていることとなるから、安全性に問題がある。また、特許文献３，４の構成では、筐体の一部に塗膜を除去する部材が設けられているので、塗膜の除去を繰り返すうちに筐体が汚れて全体的に醜くなるという問題がある。
【０００７】
そして、特許文献１〜４に共通して言えるのは、特許文献１，２の構成では、軸状とされた一端と他端に液状糊又は転写具とカッターとが各々設けられているから、特許文献３，４の構成では、筐体の一部に塗膜を除去する部材が設けられているから、つまり、転写具として使用する場合における、被転写体に塗膜を転写する転写部の近傍に付加すべき機能の部材が設けられていないので、使い勝手が悪いといった問題がある。
【０００８】
本発明が解決しようとする問題点は、特許文献１，２の構成では、液状糊や転写具を使っているときにカッターが使用者側に向くから使用上危険である点、特許文献３，４の構成では筐体における塗膜を除去する部材が設けられた部位が汚れて醜くなる点、そして特許文献１〜４の構成では、転写部の近傍に付加すべき機能の部材が設けられていなかったので使い勝手が悪い点、である。
【課題を解決するための手段】
【０００９】
上記問題を解消するために、本発明の多機能転写具は、筐体から露出して設けられ、基材上に塗布された塗膜を被転写体に転写する転写部と、前記転写部の基材搬送経路の幅方向両端に各々設けたガイド壁と、これらガイド壁又は前記筐体の転写部側先端に設けた転写とは異なる機能を奏する機能部材と、を備え、前記ガイド壁の一方側又は前記筐体の一部に前記機能部材を設け、前記ガイド壁の他方側又は前記筐体の一部に該機能部材を被転写体に接触させる際に、該転写部が被転写体に接触することを防止する接触防止部材を設けることとした。
【発明の効果】
【００１０】
本発明に係る多機能転写具は、下記の作用効果を得ることができる。機能部材は、ガイド壁又は筐体の転写部側先端に設ける。ガイド壁は転写部に存在するから説明するまでもないが、筐体に関しては特許文献３，４のような位置に機能部材が存在しても使い勝手が悪いため、本発明では転写部側先端に設けることとしている。
【００１１】
こうすることにより、液状糊や転写具を使っているときに例えば機能部材がカッターである場合にはカッター刃が使用者側に向くことがなく安全であり、機能部材が塗膜を除去する部材である場合には汚れが目立つことがなく、また、機能部材が転写部の近傍に存在することから、各種の複雑で大きな動作を必要としないで使い分けることができるから、使い勝手が良くなる。
【００１２】
また、機能部材は、その用途によっては、ガイド壁又は筐体の転写部側先端で基材搬送経路における基材の巻き取り側に設ければ好適である。この基材搬送経路における基材の巻き取り側とは、次のことを意味する。すなわち、転写部における基材搬送経路は被転写体と接触する先端部位を中央として、送り出し側と巻き取り側とに分けられる。このとき、機能部材は、転写具として使用したときの、ガイド壁又は筐体における、上記転写部の基材搬送経路の送り出し側（以下、下側という）ではなく、基材搬送経路の巻き取り側（以下、上側という）に位置させているということである。
【００１３】
こうすることで、転写部の被転写体に対する上下位置関係を反転させるだけで、即ち、下側が被転写体に面している場合は転写具として、上側が被転写体に面している場合は機能部材として使い分けることが可能となるから、例えば機能部材がカッターである場合は、転写具を使っているときにカッターが使用者側に向くことがなく、また、カッターを設けた側を大きく振り回すことなく使い分けが可能となり、安全に使用できる。
【００１４】
また、機能部材が例えば塗膜除去部材であった場合は、転写部の近傍のガイド壁又は筐体というごく部分的に設けられるから、筐体が汚れることがなく、また、筐体の一部に機能部材が設けられるとしても、該機能部材が使用される部位は具体的には転写部の近傍であるから、筐体そのものが汚れることはなく、よって全体が醜くなることが防止される。そのうえ、接触防止部材により、機能部材を使用する際においては、下側が被転写体に面していないながらも、不用意に転写部が被転写体に接触することが防止され、その結果、機能部材の使い勝手が向上する。
【００１５】
さらに、機能部材が転写部の近傍のガイド壁もしくは筐体の転写部側先端に設けられているから、転写部と機能部材とを目視した状態で即座に使い分けが可能であると共に、機能部材独自の特別な操作を要することなく、転写具を使用するのと同じような動作により該機能部材を使用することができるから、使い勝手が悪くなる点が防止される。
【発明を実施するための最良の形態】
【００１６】
本発明は、以下の形態により実施可能である。図１及び図２は本発明の前提となる基本構成を、図３は本発明の多機能転写具の第１形態における構成を、図４は第２形態における構成を、図５は第３形態における構成を、図６〜図８は第４形態における構成を、図９は第５形態における構成を、各々示す。
【００１７】
なお、基本形態の説明において前提となる構成を説明し、第１形態以降は、重複する説明は省略し、該基本形態と相違する構成についてのみ説明することとする。また、以下では、転写具として必須構成となる、塗膜が塗布された基材を巻装した送出コア、被転写体Ｐに塗膜を転写した後の基材を巻き取る巻取コア、送出コアと巻取コアとを同調させて駆動する駆動部、については本発明の特徴ではないので、図示や説明を省略している。
【００１８】
（基本形態）
図１及び図２に示す基本形態における多機能転写具１は、次の構成である。多機能転写具１は、転写具としての機能を満たす上記必須各構成を収納した筐体２と、筐体２から露出した転写部３と、転写部３に設けた機能部材４とを有している。
【００１９】
本形態における筐体２は、例えば、転写具として使用したときの、下側（基材搬送経路における送り出し側）と、上側（基材搬送経路における巻き取り側）と、が水平に対称とされており、後述する、転写具として又はカッターとして、使用するに際し、同じ使い心地となるようにしている。なお、筐体２は、機能部材４の種類によっては、その使い勝手に応じた上側と下側が非対称の形状であっても構わない。
【００２０】
転写部３は、本形態では、例えば舌状とされた転写体３Ａを有している。もちろんローラ状の転写体３Ａでも構わない。この転写体３Ａにおける基材搬送面幅方向に直交する両端には、基材が転写体３Ａから脱線しないよう防止するガイド壁３Ｂが設けられている。なお、転写体３Ａがローラ状であるときは、ガイド壁３Ｂの先端部にローラの軸が枢支される。
【００２１】
機能部材４は、本形態においては、カッター刃を採用しており、ガイド壁３Ｂにおける基材搬送経路における該基材の巻き取り側、すなわち、この場合、図１（ｂ）に示すように、前記両ガイド壁３Ｂのうちの一方側の外面に設けられる。そして機能部材４は、転写部３における上側に刃が向くように取り付けられる。なお、機能部材４は、図１（ａ）に示す筐体２の転写部側先端における側面部に、又は筐体２の転写部側先端で基材搬送経路における該基材の巻き取り側の側面部に、設けられていてもよい。
【００２２】
機能部材４としてカッター刃を採用した場合、該カッター刃がガイド壁３Ｂの外形輪郭より大きく突出していると危険であるため、ごくわずか、すなわち被転写体Ｐを一般的な紙とした場合には１〜２枚が切断できる程度の刃先が突出するようにしている。
【００２３】
上記構成の多機能転写具１は、図２（ａ）に示すように、転写部３の下側を被転写体Ｐに接触させて使用する際には、機能部材４は、被転写体Ｐに接触せず、通常の転写具として使用可能となる。そして、図２（ｂ）に示すように、転写部３の上側を被転写体Ｐに接触させるべく、全体を上下反転させると、機能部材４が被転写体Ｐに接触し、この場合、転写具としての操作と同操作により該被転写体Ｐを切断することが可能となる。
【００２４】
そして、機能部材４が被転写体Ｐに接触するときは、転写部３の下側、つまり、基材搬送経路の送り出し側が、被転写体Ｐに面していないので、該機能部材４の使用によって、未だ使用されていない塗膜が被転写体Ｐに誤って転写されることがない。
【００２５】
（第１形態）
図３に示す第１形態は、機能部材４を一方側のガイド壁３Ｂに設けて、他方側のガイド壁３Ｂに、該機能部材４を被転写体Ｐに接触させる際に、該転写部３の転写体３Ａが被転写体Ｐに接触することを防止する接触防止部材４Ａを設ける点が上記基本形態と異なる構成である。
【００２６】
接触防止部材４Ａは、ガイド壁３Ｂの外形輪郭からの突出量が、機能部材４（本例ではカッター刃）と同じとされ、これにより、機能部材４を使用する際においては、下側が被転写体Ｐに面していないながらも、不用意に転写部３が被転写体Ｐに接触することが防止され、その結果、機能部材４の使い勝手が向上する。
【００２７】
（第２形態）
図４に示す第２形態は、機能部材４が筐体２の一方側面に設けられている点と、機能部材４が、被転写体Ｐに対して進退移動する点が、基本形態と異なる構成である。
【００２８】
筐体２には、機能部材４を進退移動可能に案内するガイド２ａと、このガイド２ａに形成されたレール２ｂと、該レール２ｂに基材搬送面と直交する方向には係合し、転写部３の先端において該レール２ｂから外れる操作部２ｃと、を有している。
【００２９】
機能部材４は、上記操作部２ｃにその後端部が取り付けられ、該操作部２ｃをガイド２ａ内でレール２ｂに沿って移動させることで進退移動する。そして、機能部材４は、図４（ｂ）に示すように、被転写体Ｐに向かって突出させた際には、カッター刃が被転写体Ｐ（紙）を１〜２枚しか切断できない程度で突出し、図４（ａ）に示すように、退入させた際には、ガイド２ａの後端に操作部２ｃを当接させて、カッター刃がガイド壁３Ｂの外形輪郭内に収まるようにしている。
【００３０】
なお、レール２ｂと操作部２ｃとの間には、機能部材４（カッター刃）が過剰にガイド壁３Ｂから突出しないように、一旦はロックする構成とされており、カッター刃の取替は、前記ロック以上の力を掛けた際にガイド壁３Ｂから操作部２ｃと共にカッター刃を突出させて取り替える。
【００３１】
このようにすることで、機能部材４を使用しないときには、収納させておくことが可能となり、機能部材４がカッター刃である場合には、安全に使用することができる。
【００３２】
（第３形態）
図５に示す第３形態は、筐体２に機能部材４と転写部３の下側を覆うキャップ５を設けた点が、基本形態と異なる構成である。このキャップ５は、本形態では、キャップ本体５Ａと、基板５Ｂとから構成されている。
【００３３】
キャップ本体５Ａは、少なくとも機能部材４がカッター刃である場合には刃先を、転写部３の下側（基材搬送経路における送り出し側）と共にその先端部で覆う形状とされ、その後端部に軸部５Ａａが、後端部の両側面部には係止孔５Ａｂが、各々形成されている。
【００３４】
基板５Ｂは、筐体２における転写部３が設けられた側の下端に対向状に設けられており、各々、キャップ本体５Ａの軸部５Ａａを枢支する枢支孔５Ｂｂと、係止部５Ａｂが嵌合する凸状の係止部５Ｂｂが形成されている。そして、転写部３のガイド壁３Ｂの一部には、機能部材４と転写部３を覆った際の位置を維持すべく、キャップ本体５Ａの係止孔５Ａｂが嵌合する凸状の係止部３ａが形成されている。
【００３５】
キャップ５は、機能部材４又は転写具として使用する場合は、図５（ａ）に示すように、キャップ本体５Ａの係止孔５Ａｂと基板５Ｂの係止部５Ｂｂとを係止した状態とし、一方、機能部材４又は転写具としての使用を終えた際には、図５（ｂ）に示すように、キャップ本体５Ａの係止孔５Ａｂとガイド壁３Ｂの係止部３ａとを係止した状態とする。
【００３６】
このようにすれば、機能部材４がカッター刃である場合は、刃先が保護されるから安全であり、また、このキャップ５が、被転写体Ｐに面しているときは転写具としての使用、被転写体Ｐに面していないときには機能部材４の使用、が視認でき、使い勝手が良好となる。なお、キャップ５は、本形態では、筐体２に設けることとしたが、転写部３において基材の搬送を妨げないように設けても構わない。
【００３７】
（第４形態）
図６〜図８に示す第４形態は、筐体２が筒状の内ケース２Ａと、同じく筒状で該内ケース２Ａを挿入した外ケース２Ｂとを備え、これら内ケース２Ａと外ケース２Ｂとを相対回転させることで、転写部３の上下を反転させる点が、基本形態とは異なる構成である。
【００３８】
内ケース２Ａは、図７に示すように、転写部３を設けた先端側と後端側との間の途中箇所の外周面に、この先後端方向と直交する溝２Ａａが形成され、この溝２Ａａにおいて例えば上下方向で対向する位置に凹部２Ａｂが形成されている。
【００３９】
外ケース２Ｂは、図８に示すように、内周面に、内ケース２Ａの溝２Ａａに対応する突部２Ｂａが形成され、この突部２Ｂａにおいて前記凹部２Ａｂに対応する凸部２Ｂｂが形成されている。
【００４０】
上記形態では筐体２を上下反転させる必要があるが、第４形態の構成とすることで、例えば内ケース２Ａの凹部２Ａｂと外ケース２Ｂの凸部２Ｂｂとが嵌合するまで、内ケース２Ａを外ケース２Ｂに対して回転させることで、転写具としての使用と機能部材４の使用とを使い分けることができる。
【００４１】
なお、この第４形態は、例えば、外ケース２Ｂを内ケース２Ａよりも先後端方向に大きく形成し、内ケース２Ａの溝２Ａａと外ケース２Ｂの突部２Ｂａとを螺旋状に形成した構成に変形することも可能である。このように構成すれば、内ケース２Ａを外ケース２Ｂに対して回動させると、前記螺旋状の溝２Ａａと突部２Ｂａに沿って、内ケース２Ａが外ケース２Ｂから突出・没入の進退移動するから、機能部材４を含んだ転写部３全体の使用状態と保護状態の切替が可能となる。
【００４２】
（第５形態）
図９に示す第５形態は、機能部材４として、カッター刃の変わりに塗膜除去部材６を設けた点が、基本形態とは異なる構成である。この塗膜除去部材６は、樹脂でなり、転写具として使用した場合の被転写体Ｐに転写した塗膜を擦り落とすためのものである。なお、第５形態では、塗膜除去部材６を示したが、これに限らず、例えば鉛筆芯やペンなど、転写とは異なる機能を奏する部材を機能部材４として採用しても構わない。
【図面の簡単な説明】
【００４３】
【図１】本発明の基本形態の構成であり、（ａ）は側面方向から見た状態を、（ｂ）は正面方向から見た状態を、各々示す図である。
【図２】本発明の基本形態の構成であり、（ａ）は転写具として使用した状態を、（ｂ）は機能部材を使用している状態を、各々示す図である。
【図３】本発明の多機能転写具の第１形態の構成であり、（ａ）は左側面方向から見た状態を、（ｂ）は右側面から見た状態を、（ｃ）は正面方向から見た状態を、各々示す図である。
【図４】本発明の多機能転写具の第２形態の構成であり、（ａ）は機能部材の未使用状態を、（ｂ）は機能部材の使用状態を、各々示す図である。
【図５】本発明の多機能転写具の第３形態の構成であり、（ａ）は機能部材及び転写具としての使用状態を、（ｂ）は機能部材及び転写具としての未使用状態を、各々示す図である。
【図６】本発明の多機能転写具の第４形態の構成を示す斜視図である。
【図７】本発明の多機能転写具の第４形態における筐体の内ケースを示し、（ａ）は中央縦断面を、（ｂ）は側面方向から見た状態を、各々示す図である。
【図８】本発明の多機能転写具の第５形態における筐体の外ケースを示し、（ａ）は側面方向から見た状態を、（ｂ）は中央縦断面を、各々示す図である。
【図９】本発明の多機能転写具の第５形態における機能部材の他例を示す図である。
【符号の説明】
【００４４】
１  多機能転写具
２  筐体
２Ａ  内ケース
２Ｂ  外ケース
２ａ  ガイド
２ｂ  レール
２ｃ  操作部
３  転写部
３Ａ  転写体
３Ｂ  ガイド壁
４  機能部材
４Ａ  接触防止部材
５  キャップ
５Ａ  キャップ本体
５Ｂ  基板
６  塗膜除去部材
【図１】
0005021386.tif 000002
【図２】
0005021386.tif 000003
【図３】
0005021386.tif 000004
【図４】
0005021386.tif 000005
【図５】
0005021386.tif 000006
【図６】
0005021386.tif 000007
【図７】
0005021386.tif 000008
【図８】
0005021386.tif 000009
【図９】
0005021386.tif 000010